(57)【要約】  インテリジェント音声ミキシング技術を利用する処理エンジンへのインターフェースを提供するための方法は、音声混合内の音源の知覚位置を、聴取者に対する現在の知覚位置から聴取者に対する新しい知覚位置へ変更するための要求を受信することを含むことができる。音声混合は、少なくとも２つの音源を含むことができる。またこの命令は、処理エンジンに音源の知覚位置を現在の知覚位置から新しい知覚位置へ、別個の前景処理と背景処理によって変更させるように構成された１つまたは複数の制御信号を生成することを含むことができる。またこの方法は、処理エンジンに１つまたは複数の制御信号を提供することを含むことができる。
2011505105.tif 000002
【特許請求の範囲】
【請求項１】
インテリジェント音声ミキシング技術を利用する処理エンジンへのインターフェースを提供するための方法であって、
聴取者に対する現在の知覚位置から前記聴取者に対する新しい知覚位置へ、少なくとも２つの音源を備える音声混合内の音源の知覚位置を変更するための要求を、イベントによってトリガすることと、
前記処理エンジンに前記音源の前記知覚位置を前記現在の知覚位置から前記新しい知覚位置へ、別個の前景処理と背景処理によって変更させるように構成された１つまたは複数の制御信号を生成することと、
前記１つまたは複数の制御信号を前記処理エンジンに提供することと
を備える、方法。
【請求項２】
別個の前景処理および背景処理が、
入力音源を前景信号と背景信号に分割することと、
前記前景信号を前記背景信号とは異なるように処理することと、
を備える、請求項１に記載の方法。
【請求項３】
前記背景処理が、前記背景信号を前記前景信号より拡散して聞こえるように処理することを備える、請求項２に記載の方法。
【請求項４】
前記１つまたは複数の制御信号が、前記処理エンジンに前記音源の前記知覚位置を、前記現在の知覚位置から前記新しい知覚位置へ徐々に変更させる、請求項１に記載の方法。
【請求項５】
前記処理エンジンのパラメータに新しい値を決定することをさらに備え、前記新しい値が前記新しい知覚位置に対応し、前記１つまたは複数の制御信号が前記パラメータを前記新しい値に設定するためのコマンドを備える、請求項１に記載の方法。
【請求項６】
前記現在の知覚位置から前記新しい知覚位置へ変更することが、前記聴取者に対する前景領域内の移行を備え、さらに前記処理エンジンの前景角度制御コンポーネントのパラメータに新しい値を決定することを備える、請求項１に記載の方法。
【請求項７】
前記現在の知覚位置から前記新しい知覚位置へ変更することが、前記聴取者に対する背景領域内の移行を備え、さらに前記処理エンジンの背景角度制御コンポーネントのパラメータに新しい値を決定することを備える、請求項１に記載の方法。
【請求項８】
前記現在の知覚位置から前記新しい知覚位置へ変更することが、前記聴取者に対する背景領域から前記聴取者に対する前景領域への移行を備え、さらに前記処理エンジンの前景角度制御コンポーネント、前記処理エンジンの前景減衰コンポーネント、および前記処理エンジンの背景減衰コンポーネントのパラメータに新しい値を決定することを備える、請求項１に記載の方法。
【請求項９】
前記現在の知覚位置から前記新しい知覚位置へ変更することが、前記聴取者に対する前景領域から前記聴取者に対する背景領域への移行を備え、さらに前記処理エンジンの背景角度制御コンポーネント、前記処理エンジンの背景減衰コンポーネント、および前記処理エンジンの前景減衰コンポーネントのパラメータに新しい値を決定することを備える、請求項１に記載の方法。
【請求項１０】
インテリジェント音声ミキシング技術を利用する処理エンジンへのインターフェースを提供するための装置であって、
プロセッサと、
前記プロセッサと電子通信するメモリと、
前記メモリに格納された命令であって、
聴取者に対する現在の知覚位置から前記聴取者に対する新しい知覚位置へ、少なくとも２つの音源を備える音声混合内の音源の知覚位置を変更するための要求を、イベントによってトリガする、
前記処理エンジンに前記音源の前記知覚位置を前記現在の知覚位置から前記新しい知覚位置へ、別個の前景処理と背景処理によって変更させるように構成された１つまたは複数の制御信号を生成する、
前記１つまたは複数の制御信号を前記処理エンジンに提供する
ように実行可能である命令と
を備える装置。
【請求項１１】
別個の前景処理と背景処理が、
入力音源を前景信号と背景信号に分割することと、
前記前景信号を前記背景信号とは異なるように処理することと
を備える、請求項１０に記載の装置。
【請求項１２】
前記背景処理が、前記背景信号を前記前景信号より拡散して聞こえるように処理することを備える、請求項１１に記載の装置。
【請求項１３】
前記１つまたは複数の制御信号が、前記処理エンジンに前記音源の前記知覚位置を、前記現在の知覚位置から前記新しい知覚位置へ徐々に変更させる、請求項１０に記載の装置。
【請求項１４】
前記命令が、前記処理エンジンのパラメータに新しい値を決定するようにも実行可能であり、前記新しい値が前記新しい知覚位置に対応し、前記１つまたは複数の制御信号が前記パラメータを前記新しい値に設定するためのコマンドを備える、請求項１０に記載の装置。
【請求項１５】
前記現在の知覚位置から前記新しい知覚位置へ変更することが、前記聴取者に対する前景領域内の移行を備え、前記命令が、前記処理エンジンの前景角度制御コンポーネントのパラメータに新しい値を決定するように実行可能でもある、請求項１０に記載の装置。
【請求項１６】
前記現在の知覚位置から前記新しい知覚位置へ変更することが、前記聴取者に対する背景領域内の移行を備え、前記命令が、前記処理エンジンの背景角度制御コンポーネントのパラメータに新しい値を決定するように実行可能でもある、請求項１０に記載の装置。
【請求項１７】
前記現在の知覚位置から前記新しい知覚位置へ変更することが、前記聴取者に対する背景領域から前記聴取者に対する前景領域への移行を備え、前記命令が、前記処理エンジンの前景角度制御コンポーネント、前記処理エンジンの前景減衰コンポーネント、および前記処理エンジンの背景減衰コンポーネントのパラメータに新しい値を決定するように実行可能でもある、請求項１０に記載の装置。
【請求項１８】
前記現在の知覚位置から前記新しい知覚位置へ変更することが、前記聴取者に対する前景領域から前記聴取者に対する背景領域への移行を備え、前記命令が、前記処理エンジンの背景角度制御コンポーネント、前記処理エンジンの背景減衰コンポーネント、および前記処理エンジンの前景減衰コンポーネントのパラメータに新しい値を決定するように実行可能でもある、請求項１０に記載の装置。
【請求項１９】
移動体装置上で音声ミキシング技術を利用する処理エンジンへのインターフェースを提供する命令を備えるコンピュータ可読媒体であって、プロセッサによって実行されると前記プロセッサに、
聴取者に対する現在の知覚位置から前記聴取者に対する新しい知覚位置へ、少なくとも２つの音源を備える音声混合内の音源の知覚位置を変更するための要求を、イベントによってトリガさせる、
前記処理エンジンに前記音源の前記知覚位置を前記現在の知覚位置から前記新しい知覚位置へ、別個の前景処理と背景処理によって変更させるように構成された１つまたは複数の制御信号を生成させる、
前記１つまたは複数の制御信号を前記処理エンジンに提供させる
コンピュータ可読媒体。
【請求項２０】
別個の前景処理および背景処理が、
入力音源を前景信号と背景信号に分割することと、
前記前景信号を前記背景信号とは異なるように処理することと
を備える、請求項１９に記載のコンピュータ可読媒体。
【請求項２１】
前記背景処理が、前記背景信号を前記前景信号より拡散して聞こえるように処理することを備える、請求項２０に記載のコンピュータ可読媒体。
【請求項２２】
前記１つまたは複数の制御信号が、前記処理エンジンに前記音源の前記知覚位置を、前記現在の知覚位置から前記新しい知覚位置へ徐々に変更させる、請求項１９に記載のコンピュータ可読媒体。
【請求項２３】
前記命令が、前記プロセッサに前記処理エンジンのパラメータに新しい値を決定させ、前記新しい値が前記新しい知覚位置に対応し、前記１つまたは複数の制御信号が前記パラメータを前記新しい値に設定するためのコマンドを備える、請求項１９に記載のコンピュータ可読媒体。
【請求項２４】
前記現在の知覚位置から前記新しい知覚位置へ変更することが、前記聴取者に対する前景領域内の移行を備え、前記命令がまた前記プロセッサに、前記処理エンジンの前景角度制御コンポーネントのパラメータに新しい値を決定させる、請求項１９に記載のコンピュータ可読媒体。
【請求項２５】
前記現在の知覚位置から前記新しい知覚位置へ変更することが、前記聴取者に対する背景領域内の移行を備え、前記命令がまた前記プロセッサに、前記処理エンジンの背景角度制御コンポーネントのパラメータに新しい値を決定させる、請求項１９に記載のコンピュータ可読媒体。
【請求項２６】
前記現在の知覚位置から前記新しい知覚位置へ変更することが、前記聴取者に対する背景領域から前記聴取者に対する前景領域への移行を備え、前記命令がまた前記プロセッサに、前記処理エンジンの前景角度制御コンポーネント、前記処理エンジンの前景減衰コンポーネント、および前記処理エンジンの背景減衰コンポーネントのパラメータに新しい値を決定させる、請求項１９に記載のコンピュータ可読媒体。
【請求項２７】
前記現在の知覚位置から前記新しい知覚位置へ変更することが、前記聴取者に対する前景領域から前記聴取者に対する背景領域への移行を備え、前記命令がまた前記プロセッサに、前記処理エンジンの背景角度制御コンポーネント、前記処理エンジンの背景減衰コンポーネント、および前記処理エンジンの前景減衰コンポーネントのパラメータに新しい値を決定させる、請求項１９に記載のコンピュータ可読媒体。
【請求項２８】
インテリジェント音声ミキシング技術を利用する処理エンジンへのインターフェースを提供するための装置であって、
聴取者に対する現在の知覚位置から前記聴取者に対する新しい知覚位置へ、少なくとも２つの音源を備える音声混合内の音源の知覚位置を変更するための要求を、イベントによってトリガするための手段と、
前記処理エンジンに前記音源の前記知覚位置を前記現在の知覚位置から前記新しい知覚位置へ、別個の前景処理と背景処理によって変更させるように構成された１つまたは複数の制御信号を生成するための手段と、
前記１つまたは複数の制御信号を前記処理エンジンに提供するための手段と
を備える装置。
【請求項２９】
別個の前景処理および背景処理が、
入力音源を前景信号と背景信号に分割することと、
前記前景信号を前記背景信号とは異なるように処理することと
を備える、請求項２８に記載の装置。
【請求項３０】
前記背景処理が、前記背景信号を前記前景信号より拡散して聞こえるように処理することを備える、請求項２９に記載の装置。
【請求項３１】
前記１つまたは複数の制御信号が、前記処理エンジンに前記音源の前記知覚位置を、前記現在の知覚位置から前記新しい知覚位置へ徐々に変更させる、請求項２８に記載の装置。
【請求項３２】
前記処理エンジンのパラメータに新しい値を決定することをさらに備え、前記新しい値が前記新しい知覚位置に対応し、前記１つまたは複数の制御信号が前記パラメータを前記新しい値に設定するためのコマンドを備える、請求項２８に記載の装置。
【請求項３３】
前記現在の知覚位置から前記新しい知覚位置へ変更することが、前記聴取者に対する前景領域内の移行を備え、さらに前記処理エンジンの前景角度制御コンポーネントのパラメータに新しい値を決定するための手段を備える、請求項２８に記載の装置。
【請求項３４】
前記現在の知覚位置から前記新しい知覚位置へ変更することが、前記聴取者に対する背景領域内の移行を備え、さらに前記処理エンジンの背景角度制御コンポーネントのパラメータに新しい値を決定するための手段を備える、請求項２８に記載の装置。
【請求項３５】
前記現在の知覚位置から前記新しい知覚位置へ変更することが、前記聴取者に対する背景領域から前記聴取者に対する前景領域への移行を備え、さらに前記処理エンジンの前景角度制御コンポーネント、前記処理エンジンの前景減衰コンポーネント、および前記処理エンジンの背景減衰コンポーネントのパラメータに新しい値を決定するための手段を備える、請求項２８に記載の装置。
【請求項３６】
前記現在の知覚位置から前記新しい知覚位置へ変更することが、前記聴取者に対する前景領域から前記聴取者に対する背景領域への移行を備え、さらに前記処理エンジンの背景角度制御コンポーネント、前記処理エンジンの背景減衰コンポーネント、および前記処理エンジンの前景減衰コンポーネントのパラメータに新しい値を決定するための手段を備える、請求項２８に記載の装置。
【発明の詳細な説明】
【技術分野】
【０００１】
本開示は、概して音声処理に関する。より詳細には本開示は、音声混合の中の音源を処理することに関する。
【背景技術】
【０００２】
音声処理という用語は、音声信号を処理することを指すことができる。音声信号は、音声、すなわち人が聞こえる範囲内である音を表す電気信号である。音声信号は、ディジタルかアナログである場合がある。
【０００３】
多くの様々なタイプの装置は、音声処理技術を使用することがある。そのような装置の例には、音楽プレーヤ、デスクトップおよびラップトップ・コンピュータ、ワークステーション、無線通信装置、無線移動体装置、無線電話、直接双方向通信装置、衛星ラジオ装置、インターコム装置、無線放送装置、自動車、船舶、および航空機に使用されるオンボード・コンピュータ、ならびに他の多種多様な装置がある。
【０００４】
列挙したもののような多くの装置は、ユーザに音声を配信する目的で、音声処理技術を利用することがある。ユーザは、ステレオヘッドホンまたはスピーカなど、音声出力装置を通して音声を聞くことができる。音声出力装置は、複数の出力チャネルを有することができる。例えば、ステレオ出力装置（例えば、ステレオヘッドホン）は、２つの出力チャネル、すなわち左出力チャネルと右出力チャネルを有することができる。
【０００５】
ある状況下では、複数の音声信号が合わせて加算されることが可能である。この加算の結果は、音声混合と呼ばれることがある。加算が行われる前の音声信号は、音源と呼ばれることがある。上記のように、本開示は、概して音声処理に関し、より詳細には、音声混合の中の音源を処理することに関する。
【図面の簡単な説明】
【０００６】
【図１】聴取者に対して異なる知覚位置を有する２つの音源を示す例の図。
【図２】複数の音源の知覚差異化を容易にする装置を示す図。
【図２Ａ】複数の音源の知覚差異化を容易にするプロセッサを示す図。
【図３】インテリジェント音声ミキシング技術を利用する処理エンジンへのインターフェースを提供するための方法を示す図。
【図４】図３に示す方法に対応する手段と機能ブロックを示す図。
【図５】図２に示す装置で利用されることが可能である音源プロセッサを示す図。
【図６】図５に示す音源プロセッサの１つの可能な実装を示す図。
【図７】図６の音源プロセッサにおける前景角度制御コンポーネントの１つの可能な実装を示す図。
【図８】図６の音源プロセッサにおける背景角度制御コンポーネントの１つの可能な実装を示す図。
【図９Ａ】図６の音源プロセッサにおける前景減衰スカラおよび背景減衰スカラに可能な値の例を示す図。
【図９Ｂ】図６の音源プロセッサにおける前景減衰スカラおよび背景減衰スカラに可能な値の例を示す図。
【図１０】図６の音源プロセッサにおける前景減衰スカラおよび背景減衰スカラに可能な値の例を示す図。
【図１１】図７の前景角度制御コンポーネントにおける前景角度制御スカラに可能な値の例を示す図。
【図１２】図７の前景角度制御コンポーネントにおける前景ミキシング・スカラに可能な値の例を示す図。
【図１３】図８の背景角度制御コンポーネントにおける背景ミキシング・スカラに可能な値の例を示す図。
【図１４】音声混合の中で音源に異なる知覚位置を提供するための方法を示す図。
【図１５】図１４に示す方法に対応する手段と機能を示す図。
【図１６】音源の知覚位置を変更するための方法を示す図。
【図１７】図１６に示す方法に対応する手段と機能を示す図。
【図１８】単一チャネル（モノ）の音声信号を処理するように構成された音源プロセッサを示す図。
【図１９】図１８の音源プロセッサにおける前景角度制御コンポーネントの１つの可能な実装を示す図。
【図２０】本明細書に記載する方法を実施するために使用されることが可能である装置に利用可能である様々な構成要素を示す図。
【発明を実施するための形態】
【０００７】
インテリジェント音声ミキシング技術を利用する処理エンジンへのインターフェースを提供するための方法が開示される。この方法は、聴取者に対して現在の知覚位置から聴取者に対して新しい知覚位置へ音声混合内の音源の知覚位置を変更するための要求を、イベントによってトリガすることを含むことができる。音声混合は、少なくとも２つの音源を含むことができる。またこの方法は、処理エンジンに音源の知覚位置を、現在の知覚位置から新しい知覚位置へ、別個の前景処理と背景処理によって変更させるように構成され、１つまたは複数の制御信号を含むことができる。またこの方法は、処理エンジンに１つまたは複数の制御信号を提供することを含むことができる。
【０００８】
インテリジェント音声ミキシング技術を利用する処理エンジンへのインターフェースを提供するための装置もまた、開示される。この装置は、プロセッサと、プロセッサと電子通信するメモリとを含む。メモリには、命令が格納されている。この命令は、聴取者に対して現在の知覚位置から聴取者に対して新しい知覚位置へ音声混合内の音源の知覚位置を変更するための要求を、イベントによってトリガするように実行可能である場合がある。音声混合は、少なくとも２つの音源を含むことができる。またこの命令は、処理エンジンに音源の知覚位置を現在の知覚位置から新しい知覚位置へ、別個の前景処理と背景処理によって変更させるように構成された１つまたは複数の制御信号を生成するように実行可能である場合もある。またこの命令は、処理エンジンに１つまたは複数の制御信号を提供するように実行可能にすることもできる。
【０００９】
コンピュータ可読媒体もまた開示される。このコンピュータ可読媒体は、移動体装置上で音声ミキシング技術を利用する処理エンジンへのインターフェースを提供する命令を含むことができる。この命令は、プロセッサによって実行されるとプロセッサに、聴取者に対する現在の知覚位置から聴取者に対する新しい知覚位置へ音声混合内の音源の知覚位置を変更するための要求を、イベントによってトリガさせることができる。音声混合は、少なくとも２つの音源を含むことができる。またこの命令は、処理エンジンに音源の知覚位置を現在の知覚位置から新しい知覚位置へ、別個の前景処理と背景処理によって変更させるように構成された１つまたは複数の制御信号を、プロセッサに生成させることができる。またこの命令は、プロセッサが処理エンジンに１つまたは複数の制御信号を提供するようにすることができる。
【００１０】
インテリジェント音声ミキシング技術を利用する処理エンジンへのインターフェースを提供するための装置もまた開示されている。この装置は、聴取者に対する現在の知覚位置から聴取者に対する新しい知覚位置へ音声混合内の音源の知覚位置を変更するための要求を、イベントによってトリガするための手段を含むことができる。音声混合は、少なくとも２つの音源を含むことができる。またこの命令は、処理エンジンに音源の知覚位置を現在の知覚位置から新しい知覚位置へ、別個の前景処理と背景処理によって変更させるように構成された１つまたは複数の制御信号を生成するための手段を含む場合もある。またこの装置は、処理エンジンに１つまたは複数の制御信号を提供するための手段を含むことができる。
【００１１】
本開示は、インテリジェント音声ミキシング技術に関する。より詳細には、本開示は、音声混合を聞いている間に聴取者が異なる音源をよりよく区別できるように、音声混合内の音源に異なる知覚位置を提供するための技術に関する。簡単な例を挙げると、第１の音源は、聴取者の前にある知覚位置を提供される場合があり、第２の音源は、聴取者の後ろにある知覚位置を提供される場合がある。したがって、聴取者は、第１の音源を、聴取者の前である位置から来ているとして知覚することができ、一方第２の音源を、聴取者の後ろである位置から来ているとして知覚することができる。聴取者が前と後ろの位置を区別する方法を提供することに加えて、異なる音源は、異なる角度、または歪度を提供されることもある。例えば、第１の音源は、聴取者の前、かつ左にある知覚位置を提供される場合があり、第２の音源は、聴取者の後ろ、かつ右にある知覚位置を提供される場合がある。異なる知覚位置を有する音声混合の中の異なる音源に、異なる知覚位置を提供することは、ユーザが音源間でより良く識別する助けとなるが可能である。
【００１２】
本明細書に記載する技術が利用されることが可能である多くの状況がある。１つの例は、無線通信装置のユーザが、電話の呼を受信するときに無線通信装置で音楽を聴いているときである。ユーザは、電話の呼の間、音楽が電話の呼を妨げることなく、音楽を聴き続けることが望ましい場合がある。別の例は、ユーザが、音楽または他のタイプのオーディオプログラムを聴きながらコンピュータ上でインスタント・メッセージング（ＩＭ）の会話に参加しているときである。ユーザは、ＩＭクライアントによって再生される音を聞くことができることが望ましい場合がある。当然ながら、本開示に関連している可能性がある他の多くの例がある。本明細書に記載する技術は、ユーザが音声混合内の音源間で知覚的に区別することが望ましい可能性があるいかなる状況にも適用されることが可能である。
【００１３】
上に示すように、ある環境下では、複数の音声信号が合わせて加算される場合がある。この加算の結果は、音声混合と呼ばれることがある。加算が行われる前の音声信号は、音源と呼ばれることがある。
【００１４】
音源は、高帯域音声信号であることがあり、周波数解析で複数の周波数成分を有する可能性がある。本明細書で使用する、「ミキシング」という用語は、加算を用いて２つの音源の時間領域値（アナログかディジタル）を結合することを指す。
【００１５】
図１は、聴取者１０４に対して異なる知覚位置を有する２つの音源１０２ａ、１０２ｂを示す例を説明している。この２つの音源１０２ａ、１０２ｂは、聴取者１０４が聞いている音声混合の一部である場合がある。第１の音源１０２ａの知覚位置は、前景領域１０６に、かつ聴取者１０４の左にあるように示されている。言い換えれば、音声混合を聞いている間、聴取者１０４は、第１の音源１０２ａを聴取者の前、かつ聴取者の左にあるものとして知覚することができる。第２の音源１０２ｂの知覚位置は、背景領域１０８の、聴取者１０４の右にあるものとして示されている。言い換えれば、音声混合を聞いている間、聴取者１０４は、第２の音源１０２ｂを聴取者の後ろ、かつ聴取者の右にあるものとして知覚することができる。
【００１６】
図１はまた、音源１０２の知覚位置が、本明細書では知覚アジマス角、または単に知覚角度と呼ばれることがあるパラメータによってどのように測定可能であるかを示している。図１に示すように、知覚角度は、知覚角度０°が、聴取者１０４の真正面の知覚位置に相当するように定義されることが可能である。さらに知覚角度は、時計回りに、最大３６０°（０°に相当する）まで増加するように定義されることが可能である。この定義に従って、図１に示す第１の音源１０２ａの知覚角度は、２７０°と３６０°（０°）の間であり、図１に示す第２の音源１０２ｂの知覚角度は、９０°と１８０°の間である。２７０°と３６０°（０°）または０°と９０°の間の知覚角度を有する音源１０２の知覚位置が、前景領域１０６であり、９０°と２７０°の間の知覚角度を有する音源１０２の知覚位置が、背景領域１０８である。
【００１７】
前述した知覚角度の定義は、本開示を通して使用される。しかしながら、知覚角度は、異なるように定義され、それでもやはり本開示と一致する場合がある。
【００１８】
「前景領域」および「背景領域」という用語は、図１に示す特定の前景領域１０６および背景領域１０８に限定されるべきではない。正しくは、「前景領域」という用語は、一般に聴取者１０４の前にある領域を指すものと解釈されるべきであるが、「背景領域」という用語は、一般に聴取者１０４の後ろにある領域を指すものと解釈されるべきである。例えば、図１では、前景領域１０６および背景領域１０８は、共に１８０°であるとして示されている。しかし、代替的には、前景領域１０６は１８０°より大きい場合があり、背景領域１０８は１８０°より小さい場合がある。さらに代替的には、前景領域１０６は１８０°より小さい場合があり、背景領域１０８は１８０°より大きい場合がある。さらに代替的には、前景領域１０６および背景領域１０８が共に１８０°より小さい場合がある。
【００１９】
図２は、複数の音源２０２の知覚差異化を容易にする知覚装置２００を示している。装置２００は、処理エンジン２１０を含んでいる。処理エンジン２１０は、入力として複数の音源２０２’を受信しているように示されている。第１の音声ユニット２１４ａからの第１の入力音源２０２ａ’、第２の音声ユニット２１４ｂからの第２の入力音源２０２ｂ’、および第Ｎの音声ユニット２１４ｎからの第Ｎの入力音源２０２ｎ’が、図２に示されている。処理エンジン２１０は、音声混合２１２を出力しているように示されている。聴取者１０４は、ステレオヘッドホンなどの音声出力装置を通して音声混合２１２を聞くことができる。
【００２０】
処理エンジン２１０は、インテリジェント音声ミキシング技術を利用するように構成されることが可能である。また処理エンジン２１０は、いくつかの音源プロセッサ２１６を備えて示されている。各音源プロセッサ２１６は、入力音源２０２’を処理して、聴取者１０４に対して異なる知覚位置を含む音源２０２を出力するように構成されることが可能である。詳細には、処理エンジン２１０は、第１の入力音源２０２ａ’を処理し、聴取者１０４に対して異なる知覚位置を含む第１の音源２０２ａを出力する第１の音源プロセッサ２１６ａを備えて示されている。また処理エンジン２１０は、第２の入力音源２０２ｂ’を処理し、聴取者１０４に対して異なる知覚位置を含む第２の音源２０２ｂを出力する第２の音源プロセッサ２１６ｂを備えて示されている。また、処理エンジン２１０は、第Ｎの入力音源２０２ｎ’を処理し、聴取者１０４に対して異なる知覚位置を含む第Ｎの音源２０２ｎを出力する第Ｎの音源プロセッサ２１６ｎを備えて示されている。加算器２２０が音源２０２を結合して音声混合２１２にし、これが処理エンジン２１０によって出力されることが可能である。
【００２１】
音源プロセッサ２１６のそれぞれは、音源２０２に聴取者１０４に対して異なる知覚位置を与えるために、本開示に記載する方法を利用するように構成されることが可能である。あるいは音源プロセッサ２１６は、音源２０２に聴取者１０４に対して異なる知覚位置を与えるために、他の方法を利用するように構成されることが可能である。例えば、音源プロセッサ２１６は、頭部伝達関数（ＨＲＴＦ）に基づく方法を利用するように構成されることが可能である。
【００２２】
図２に示す装置２００はまた、制御ユニット２２２を含んでいる。制御ユニット２２２は、処理エンジン２１０へのインターフェースを提供するように構成されることが可能である。例えば、制御ユニット２２２は、要求しているエンティティが、制御ユニット２２２を介して音源２０２の１つまたは複数の知覚位置を変更することができるように構成されることが可能である。
【００２３】
図２は、音源２０２の１つの知覚位置を新しい知覚位置に変更するための要求２２４を受信している制御ユニット２２２を示している。要求２２４は、ユーザがボタンを押す、着呼が受信される、プログラムが開始されるもしくは終了されるなどのイベントによってトリガされることが可能である。要求２２４は、その知覚位置を変更されることになる特定の音源２０２を識別する識別子２２６を含んでいる。また要求２２４は、音源２０２の新しい知覚位置を示している。詳細には、要求２２４は、音源２０２の新しい知覚位置に対応する知覚角度の指示２２８を含んでいる。また要求２２４は、新しい知覚位置に移行するための所望の期間の指示２３０を含んでいる。
【００２４】
要求２２４を受信することに応答して、制御ユニット２２２は、１つまたは複数の制御信号２３２を生成し、処理エンジン２１０に提供することができる。制御信号２３２は、処理エンジン２１０に、適用できる音源２０２の知覚位置を、その現在の知覚位置から要求２２４によって指定される新しい知覚位置へ変更させるように構成されることが可能である。制御ユニット２２２は、制御信号２３２を処理エンジン２１０に提供することができる。制御信号２３２を受信することに応答して、処理エンジン２１０（およびより具体的には、適用できる音源プロセッサ２１６）は、適用できる音源２０２の知覚位置を、その現在の知覚位置から要求２２４によって指定される新しい知覚位置へ変更することができる。
【００２５】
１つの可能な実装では、制御ユニット２２２はＡＲＭプロセッサとすることができ、処理エンジン２１０は、ディジタル信号プロセッサ（ＤＳＰ）とすることができる。このような実装で、制御信号２３２は、ＡＲＭプロセッサがＤＳＰに送信する制御コマンドとすることができる。
【００２６】
あるいは、制御ユニット２２２は、アプリケーション・プログラミング・インターフェース（ＡＰＩ）とすることができる。処理エンジン２１０は、プロセッサによって実行されているソフトウェア・コンポーネント（例えばアプリケーション、モジュール、ルーチン、サブルーチン、プロシージャ、関数など）とすることができる。このような実装で、要求２２４は、ソフトウェア・コンポーネント（処理エンジン２１０として働くソフトウェア・コンポーネント、または別のソフトウェア・コンポーネント）からもたらされることが可能である。要求２２４を送信するソフトウェア・コンポーネントは、ユーザインターフェースの一部とすることができる。
【００２７】
いくつかの実装では、処理エンジン２１０および／または制御ユニット２２２は、移動体装置内に実装されることが可能である。移動体装置のいくつかの例には、携帯電話、携帯情報端末（ＰＤＡ）、ラップトップ・コンピュータ、スマートフォン、ポータブル・メディアプレーヤ、携帯型ゲーム機などが含まれる。
【００２８】
図２Ａは、複数の音源２０２Ａの知覚差異化を容易にするプロセッサ２０１Ａを示している。プロセッサ２０１Ａは、音源ユニット・エンジン２１０Ａを含んでいる。音源ユニット・エンジン２１０Ａは、入力として複数の音源２０２Ａ’を受信するように示されている。詳細には、第１の音声ユニット２１４Ａ（１）からの第１の入力音源２０２Ａ（１）’、第２の音声ユニット２１４Ａ（２）からの第２の入力音源２０２Ａ（２）’、および第Ｎの音声ユニット２１４Ａ（Ｎ）からの第Ｎの入力音源２０２Ａ（Ｎ）’が、図２Ａに示されている。音源ユニット・エンジン２１０Ａは、音声混合２１２Ａを出力するように示されている。聴取者１０４は、ステレオヘッドホンなどの音声出力装置を通して音声混合２１２Ａを聞くことができる。
【００２９】
音源ユニット・エンジン２１０Ａは、インテリジェント音声ミキシング技術を利用するように構成されることが可能である。音源ユニット・エンジン２１０Ａはまた、いくつかの音源ユニット２１６Ａを備えて示されている。各音源プロセッサ２１６Ａは、入力音源２０２Ａ’を処理して、聴取者１０４に対して異なる知覚位置を含む音源２０２Ａを出力するように構成されることが可能である。詳細には、音源ユニット・エンジン２１０Ａは、第１の入力音源２０２Ａ（１）’を処理し、聴取者１０４に対して異なる知覚位置を含んでいる第１の音源２０２Ａ（１）を出力する、第１の音源ユニット２１６Ａ（１）を備えて示されている。また音源ユニット・エンジン２１０Ａは、第２の入力音源２０２Ａ（２）’を処理し、聴取者１０４に対して異なる知覚位置を含んでいる第２の音源２０２Ａ（２）を出力する、第２の音源ユニット２１６Ａ（２）を備えて示されている。また音源ユニット・エンジン２１０Ａは、第Ｎの入力音源２０２Ａ（Ｎ）’を処理し、聴取者１０４に対して異なる知覚位置を含んでいる第Ｎの音源２０２Ａ（Ｎ）を出力する、第Ｎの音源ユニット２１６Ａ（Ｎ）を備えて示されている。加算器２２０Ａが、音源２０２Ａを結合して音声混合２１２Ａにすることができ、これが音源ユニット・エンジン２１０Ａによって出力される。
【００３０】
音源ユニット２１６のそれぞれは、音源２０２Ａに聴取者１０４に対して異なる知覚位置を与えるために、本開示に記載する方法を利用するように構成されることが可能である。あるいは音源ユニット２１６Ａは、音源２０２Ａに聴取者１０４に対して異なる知覚位置を与えるために、他の方法を利用するように構成されることが可能である。例えば、音源ユニット２１６Ａは、頭部伝達関数（ＨＲＴＦ）に基づく方法を利用するように構成されることが可能である。
【００３１】
図２Ａに示すプロセッサ２０１Ａはまた、制御ユニット２２２Ａを含んでいる。制御ユニット２２２Ａは、音源ユニット・エンジン２１０Ａへのインターフェースを提供するように構成されることが可能である。例えば、制御ユニット２２２Ａは、要求しているエンティティが、制御ユニット２２２Ａを介して音源２０２Ａの１つまたは複数の知覚位置を変更することができるように構成されることが可能である。
【００３２】
図２Ａは、音源２０２Ａの１つの知覚位置を新しい知覚位置に変更するための要求２２４Ａを受信している制御ユニット２２２Ａを示している。要求２２４Ａは、その知覚位置を変更されることになる特定の音源２０２Ａを識別する識別子２２６Ａを含んでいる。また要求２２４Ａは、音源２０２Ａの新しい知覚位置を示している。詳細には、要求２２４Ａは、音源２０２Ａの新しい知覚位置に対応する知覚角度の指示２２８Ａを含んでいる。また要求２２４Ａは、新しい知覚位置に移行するための所望の期間の指示２３０Ａを含んでいる。
【００３３】
要求２２４Ａを受信することに応答して、制御ユニット２２２Ａは、１つまたは複数の制御信号２３２Ａを生成し、音源ユニット・エンジン２１０Ａに提供することができる。制御信号２３２Ａは、音源ユニット・エンジン２１０Ａに、適用できる音源２０２Ａの知覚位置を、その現在の知覚位置から要求２２４Ａによって指定される新しい知覚位置へ変更させるように構成されることが可能である。制御ユニット２２２Ａは、制御信号２３２Ａを音源ユニット・エンジン２１０Ａに提供することができる。制御信号２３２Ａを受信することに応答して、音源ユニット・エンジン２１０Ａ（およびより具体的には、適用できる音源ユニット２１６Ａ）は、適用できる音源２０２Ａの知覚位置を、その現在の知覚位置から要求２２４Ａによって指定される新しい知覚位置へ変更することができる。
【００３４】
図３は、インテリジェント音声ミキシング技術を利用する処理エンジン２１０へのインターフェースを提供するための方法３００を示している。図示した方法３００は、図２に示す装置２００の中の制御ユニット２２２によって行われることが可能である。
【００３５】
方法３００に従って、音源２０２の知覚位置を変更するための要求２２４が受信される３０２ことが可能である。新しい知覚位置と関連する処理エンジン２１０のパラメータの値が、決定される３０４ことが可能である。パラメータを新しい値に設定するために、コマンドが生成される３０６ことが可能である。制御信号２３２が生成される３０８ことが可能である。制御信号２３２は、パラメータを新しい値に設定するためのコマンドを含むことができ、したがって制御信号２３２は、処理エンジン２１０に、音源２０２の知覚位置を、その現在の知覚位置から要求２２４によって指定される新しい知覚位置へ変更させるように構成されることが可能である。制御信号２３２は、処理エンジン２１０に提供される３１０ことが可能である。制御信号２３２を受信することに応答して、処理エンジン２１０は、音源２０２の知覚位置を新しい知覚位置に変更することができる。
【００３６】
上述の図３の方法は、図４に示す、対応する手段と機能ブロックによって行われることが可能である。言い換えれば、図３に示すブロック３０２から３１０は、図４に示す手段と機能ブロック４０２から４１０に対応する。
【００３７】
図５は、図２に示す装置２００で利用されることが可能である音源プロセッサ５１６を示している。音源プロセッサ５１６は、音声混合２１２内の音源２０２の知覚位置を変更するように構成されることが可能である。これは、入ってくる入力音源２０２’を別個の前景処理と背景処理によって実現されることが可能である。より具体的には、音源プロセッサ５１６は、入ってくる入力音源２０２’を２つの信号、すなわち前景信号と背景信号に分けることができる。前景信号と背景信号は、その後別々に処理されることが可能である。言い換えれば、前景信号が処理される方法には、背景信号が処理される方法と比較すると、少なくとも１つの違いがある可能性がある。
【００３８】
音源プロセッサ５１６は、前景角度制御コンポーネント５３４と、前景信号を処理するための前景減衰コンポーネント５３６を備えて示されている。また音源プロセッサ５１６は、背景角度制御コンポーネント５３８と、背景信号を処理するための背景減衰コンポーネント５４０を備えて示されている。
【００３９】
前景角度制御コンポーネント５３４は、前景信号が前景領域１０６内に知覚角度を含むように前景信号を処理する構成とすることが可能である。この知覚角度は、前景知覚角度と呼ばれることがある。前景減衰コンポーネント５３６は、前景信号の所望のレベルの減衰を行うために、前景信号を処理するように構成されることが可能である。
【００４０】
背景角度制御コンポーネント５３８は、背景信号が背景領域１０８内に知覚角度を含むように背景信号を処理する構成とすることが可能である。この知覚角度は、背景知覚角度と呼ばれることがある。背景減衰コンポーネント５４０は、背景信号の所望のレベルの減衰を行うために、背景信号を処理するように構成されることが可能である。
【００４１】
前景角度制御コンポーネント５３４、前景減衰コンポーネント５３６、背景角度制御コンポーネント５３８、および背景減衰コンポーネント５４０は、音源２０２の知覚位置を提供するために合わせて機能することができる。例えば、前景領域１０６内となる知覚位置を提供するために、背景減衰コンポーネント５４０は、背景信号を減衰するように構成されることが可能であり、前景減衰コンポーネント５３６は、前景信号が減衰されることなく通過することができるように構成されることが可能である。前景角度制御コンポーネント５３４は、前景領域１０６内に適切な知覚角度を提供するように構成されることが可能である。反対に、背景領域１０８内となる知覚位置を提供するために、前景減衰コンポーネント５３６は、前景信号を減衰するように構成されることが可能であり、背景減衰コンポーネント５４０は、背景信号が減衰されることなく通過することができるように構成されることが可能である。背景角度制御コンポーネント５３８は、前景領域１０８内に適切な知覚角度を提供するように構成されることが可能である。
【００４２】
また図５は、制御ユニット５２２によって音源プロセッサ５１６に送信されている制御信号５３２を示している。こうした制御信号５３２は、図２の装置２００の中に示した制御ユニット２１０によって送信されることが可能である制御信号２３２の例である。
【００４３】
上に示すように、制御ユニット５２２は、音源２０２の知覚位置を変更するための要求２２４を受信することに応答して制御信号５３２を生成することができる。制御信号５３２を生成することの一環として、制御ユニット５２２は、処理エンジン２１０と関連する、より具体的には音源プロセッサ５１６と関連するパラメータに新しい値を決定するように構成されることが可能である。制御信号５３２は、パラメータを新しい値に設定するためのコマンドを含むことができる。
【００４４】
制御信号５３２は、前景角度制御コマンド５４２、前景減衰コマンド５４４、背景角度制御コマンド５４６、および背景減衰コマンド５４８を備えて示されている。前景角度制御コマンド５４２は、前景角度制御コンポーネント５３４と関連するパラメータを設定するためのコマンドとすることができる。前景減衰コマンド５４４は、前景減衰コンポーネント５３６と関連するパラメータを設定するためのコマンドとすることができる。背景角度制御コマンド５４６は、背景角度制御コンポーネント５３８と関連するパラメータを設定するためのコマンドとすることができる。背景減衰コマンド５４８は、背景減衰コンポーネント５４０と関連するパラメータを設定するためのコマンドとすることができる。
【００４５】
図６は、音源プロセッサ６１６を示している。音源プロセッサ６１６は、図５に示す音源プロセッサ５１６の１つの可能な実装である。
【００４６】
音源プロセッサ６１６は、入力音源６０２’を受信するように示されている。入力音源６０２’は、２つのチャネル、すなわち左チャネル６０２ａ’と右チャネル６０２ｂ’を有するステレオ音源である。入力音源６０２’は、２つの信号、すなわち前景信号６５０と背景信号６５２に分割されるように示されている。前景信号６５０は、２つのチャネル、すなわち左チャネル６５０ａと右チャネル６５０ｂを有するように示されている。同様に背景信号６５２は、２つのチャネル、すなわち左チャネル６５２ａと右チャネル６５２ｂを有するように示されている。前景信号は、前景パスに沿って処理されるように示され、背景信号６５２は、背景パスに沿って処理されるように示されている。
【００４７】
背景信号６５２の左チャネル６５２ａおよび右チャネル６５０ｂは、２つのローパスフィルタ（ＬＰＦ）６６２、６６４によって処理されるように示されている。背景信号６５２の右チャネル６５２ｂは、その後遅延線６６６によって処理されるように示されている。遅延線６６６の長さは、比較的短い（例えば、１０ミリ秒）ことが可能である。先行音効果により、遅延線６６６によってもたらされる両耳間時間差（ＩＴＤ）は、両チャネル６５２ａ、６５２ｂが同じレベルに設定されるとき、音像スキューをもたらす可能性がある（すなわち、音が集中して認識されない）。これを打ち消すために、背景信号６５２の左チャネル６５２ａは、その後両耳間強度差（ＩＩＤ）減衰コンポーネント６６８によって処理されるように示されている。ＩＩＤ減衰コンポーネント６６８の利得は、サンプリングレートおよび遅延線６６６の長さによって、調整されることが可能である。ＬＰＦ６６２、６６４、遅延線６６６、およびＩＩＤ減衰コンポーネント６６８によって行われる処理は、背景信号６５２が前景信号６５０より拡散して聞こえるようにすることができる。
【００４８】
音源プロセッサ６１６は、前景角度制御コンポーネント６３４を備えて示されている。上に示すように、前景角度制御コンポーネント６３４は、前景信号６５０に前景知覚角度を提供するように構成されることが可能である。さらに、入力音源６０２’は、ステレオ音源であるので、前景角度制御コンポーネント６３４は、前景信号の左チャネル６５０ａと右チャネル６５０ｂの内容のバランスを保つように構成されることも可能である。これは、前景信号６５０が設定されることが可能であるいかなる知覚角度に対しても前景信号６５０の左チャネル６５０ａと右チャネル６５０ｂの内容を保護する目的で行われることが可能である。
【００４９】
また音源プロセッサ６１６は、背景角度制御コンポーネント６３８を備えて示されている。上に示すように、背景角度制御コンポーネント６３８は、背景信号６５２に背景知覚角度を提供するように構成されることが可能である。さらに、入力音源６０２’はステレオ音源であるので、背景角度制御コンポーネント６３８は、背景信号６５２の左チャネル６５２ａと右チャネル６５２ｂの内容のバランスを保つように構成されることも可能である。これは、背景信号６５２が設定されることが可能であるいかなる知覚角度に対しても、背景信号６５２の左チャネル６５２ａと右チャネル６５２ｂの内容を保護する目的で行われることが可能である。
【００５０】
また音源プロセッサ６１６は、前景角度制御コンポーネント６３６を備えて示されている。上に示すように、前景減衰コンポーネント６３６は、前景信号６５０の所望のレベルの減衰を行うために、前景信号６５０を処理するように構成されることが可能である。前景減衰コンポーネント６３６は、２つのスカラ６５４、６５６を備えて示されている。集合的にこれらのスカラ６５４、６５６は、前景減衰スカラ６５４、６５６と呼ばれることがある。
【００５１】
また音源プロセッサ６１６は、背景角度制御コンポーネント６４０を備えて示されている。上に示すように、背景減衰コンポーネント６４０は、背景信号６５２の所望のレベルの減衰を行うために、背景信号６５２を処理するように構成されることが可能である。背景減衰コンポーネント６４０は、２つのスカラ６５８、６６０を備えて示されている。集合的にこれらのスカラ６５８、６６０は、背景減衰スカラ６５８、６６０と呼ばれることがある。
【００５２】
前景減衰スカラ６５４、６５６の値は、前景信号６５０の所望のレベルの減衰を実現するように設定されることが可能である。同様に、背景減衰スカラ６５８、６６０の値は、背景信号６５２の所望のレベルの減衰を実現するように設定されることが可能である。例えば、前景信号６５０を十分に減衰させるためには、前景減衰スカラ６５４、６５６は、最小値（例えばゼロ）に設定されることが可能である。一方、前景信号６５０が減衰されることなく通過できるようにするためには、こうしたスカラ６５４、６５６は、最大値（例えば１）に設定されることが可能である。
【００５３】
加算器６７０が、前景信号６５０の左チャネル６５０ａを背景信号６５２の左チャネル６５２ａと結合するように示されている。加算器６７０は、出力音源６０２の左チャネル６０２ａを出力するように示されている。別の加算器６７２が、前景信号６５０の右チャネル６５０ｂを背景信号６５２の右チャネル６５２ｂと結合するように示されている。この加算器６７２は、出力音源６０２の右チャネル６０２ｂを出力するように示されている。
【００５４】
音源プロセッサ６１６は、音源６０２の知覚位置を変更するために、別個の前景処理と背景処理がどのように行われることが可能であるかを示している。入力音源６０２’は、２つの信号、すなわち前景信号６５０と背景信号６５２に分割されるように示されている。前景信号６５０と背景信号６５２は、その後別々に処理されることが可能である。言い換えれば、背景信号６５２が処理される方法と比較すると前景信号６５０が処理される方法には違いがある。図６に示される特定の違いは、前景信号６５０は、前景角度制御コンポーネント６３４および前景減衰コンポーネント６３６を用いて処理されるが、背景信号６５２は、背景角度制御コンポーネント６３８および背景減衰コンポーネント６４０を用いて処理されることである。さらに、背景信号６５２は、背景信号６５２が前景信号６５０より拡散して聞こえるようにする構成要素（すなわち、ローパスフィルタ６６２、６６４、遅延線６６６、およびＩＩＤ減衰コンポーネント６６８）を用いて処理されるが、前景信号６５０は、こうした構成要素で処理されない。
【００５５】
図６の音源プロセッサ６１６は、音源６０２の知覚位置を変更するために、別個の前景処理と背景処理が行われることが可能である１つの方法のほんの一例である。別個の前景処理と背景処理は、図６に示すものとは異なる構成要素を使用して実現されることが可能である。「別個の前景処理と背景処理」という語句は、図６に示す特定の構成要素および構成に限定されると解釈されるべきではない。代わりとして、別個の前景と背景処理は、入力音源６０２’が前景信号６５０と背景信号６５２に分けられ、背景信号６５２が処理される方法と比べると、前景信号６５０が処理される方法には、少なくとも１つの違いがあることを意味する。
【００５６】
図７は、前景角度制御コンポーネント７３４を示している。前景角度制御コンポーネント７３４は、図６の音源プロセッサ６１６の中の前景角度制御コンポーネント６３４の１つの可能な実装である。前景角度制御コンポーネント７３４は、２つの入力、すなわち前景信号７５０の左チャネル７５０ａと、前景信号７５０の右チャネル７５０ｂを有して示されている。
【００５７】
上に示すように、前景角度制御コンポーネント７３４は、前景信号７５０の左チャネル７５０ａと右チャネル７５０ｂの内容のバランスを保つように構成されることが可能である。これは、前景信号７５０の左チャネル７５０ａと右チャネル７５０ｂの内容を２つの信号７７４ａ、７７４ｂに再分配することによって実現されることが可能である。こうした信号７７４ａ、７７４ｂは、内容均衡信号７７４ａ、７７４ｂと呼ばれることが可能である。内容均衡信号７７４ａ、７７４ｂは、共に前景信号７５０の左チャネル７５０ａと右チャネル７５０ｂの内容の実質的に等しい混合を含むことができる。互いからの内容均衡信号７７４を区別するために、一方の内容均衡信号７７４ａは左内容均衡信号７７４ａと呼ばれることが可能であり、もう一方の内容均衡信号７７４ｂは右内容均衡信号７７４ｂと呼ばれることが可能である。
【００５８】
前景信号７５０の左チャネル７５０ａと右チャネル７５０ｂの内容を２つの内容均衡信号７７４ａ、７７４ｂに再分配するために、ミキシング・スカラ７７６が使用されることが可能である。図７では、こうしたミキシング・スカラ７７６が、ｇ＿Ｌ２Ｌスカラ７７６ａ、ｇ＿Ｒ２Ｌスカラ７７６ｂ、ｇ＿Ｌ２Ｒスカラ７７６ｃ、およびｇ＿Ｒ２Ｒスカラ７７６ｄと表記されている。左内容均衡信号７７４ａは、ｇ＿Ｌ２Ｌスカラ７７６ａによって増大された左チャネル７５０ａと、ｇ＿Ｒ２Ｌスカラ７７６ｂによって増大された右チャネル７５０ｂを含むことができる。右内容均衡信号７７４ｂは、ｇ＿Ｒ２Ｒスカラ７７６ｄによって増大された右チャネル７５０ｂと、ｇ＿Ｌ２Ｒスカラ７７６ｃによって増大された左チャネル７５０ａを含むことができる。
【００５９】
上に示すように、前景角度制御コンポーネント７３４は、前景信号７５０に対して前景領域１０６内に知覚角度を提供するように構成されることも可能である。これは、前景角度制御スカラ７７８と呼ばれることが可能である２つのスカラを使用することによって、実現されることが可能である。図７では、こうした前景角度制御スカラ７７８は、ｇ＿Ｌスカラ７７８ａおよびｇ＿Ｒスカラ７７８ｂと表記されている。左内容均衡信号７７４ａは、ｇ＿Ｌスカラ７７８ａによって増大されることが可能であり、右内容均衡信号７７４ｂは、ｇ＿Ｒスカラ７７８ｂによって増大されることが可能である。
【００６０】
２７０°と０°の間の知覚角度（すなわち、前景領域１０６の左側）を実現するために、前景角度制御スカラ７７８の値は、右内容均衡信号７７４ｂが左内容均衡信号７７４ａより大きく減衰されるように設定されることが可能である。反対に、０°と９０°の間の知覚角度（すなわち、前景領域１０６の右側）を実現するために、前景角度制御スカラ７７８の値は、左内容均衡信号７７４ａが右内容均衡信号７７４ｂより大きく減衰されるように設定されることが可能である。聴取者１０４の正面（０°）である知覚位置を実現するために、前景角度制御スカラ７７８の値は、左内容均衡信号７７４ａおよび右内容均衡信号７７４ｂが等しく減衰されるように設定されることが可能である。
【００６１】
図８は、背景角度制御コンポーネント８３８を示している。背景角度制御コンポーネント８３８は、図６の音源プロセッサ６１６の中の背景角度制御コンポーネント６３８の１つの可能な実装である。背景角度制御コンポーネント８３８は、２つの入力、すなわち背景信号８５２の左チャネル８５２ａと、背景信号８５２の右チャネル８５２ｂを有して示されている。
【００６２】
上に示すように、背景角度制御コンポーネント８３８は、背景信号８５２の左チャネル８５２ａと右チャネル８５２ｂの内容のバランスを保つように構成されることが可能である。これは、背景信号８５２の左チャネル８５２ａと右チャネル８５２ｂの内容を、左内容均衡信号８８０ａおよび右内容均衡信号８８０ｂと呼ばれることが可能である２つの内容均衡信号８８０に再配分することによって実現されることが可能である。内容均衡信号８８０ａ、８８０ｂは、共に背景信号８５２の左チャネル８５２ａおよび右チャネル８５２ｂの実質的に等しい混合を含むことができる。
【００６３】
ミキシング・スカラ８８２は、背景信号８５２の左チャネル８５２ａおよび右チャネル８５２ｂを２つの内容均衡信号８８０ａ、８８０ｂに再分配するために使用されることが可能である。図８では、こうしたミキシング・スカラ８８０が、ｇ＿Ｌ２Ｌスカラ８８２ａ、ｇ＿Ｒ２Ｌスカラ８８２ｂ、ｇ＿Ｌ２Ｒスカラ８８２ｃ、およびｇ＿Ｒ２Ｒスカラ８８２ｄと表記されている。左内容均衡信号８８０ａは、ｇ＿Ｌ２Ｌスカラ８８２ａによって増大された左チャネル８５２ａと、ｇ＿Ｒ２Ｌスカラ８８２ｂによって増大された右チャネル８５２ｂを含むことができる。右内容均衡信号８８０ｂは、ｇ＿Ｒ２Ｒスカラ８８２ｄによって増大された右チャネル８５２ｂと、ｇ＿Ｌ２Ｒスカラ８８２ｃによって増大された左チャネル８５２ａを含むことができる。
【００６４】
上に示すように、背景角度制御コンポーネント８３８は、背景信号８５２に背景領域内の知覚角度を提供するように構成されることも可能である。これは、４つのミキシング・スカラ８８２の値を調整し、こうしたスカラ８８２が、背景信号８５２の左チャネル８５２ａおよび右チャネル８５２ｂの内容を再配分する機能に加え、背景信号８８２に知覚角度を提供する機能も行うようにすることによって実現されることが可能である。したがって、背景角度制御コンポーネント８３８は、専用の角度制御スカラ（図７に示す背景角度制御コンポーネント７３４の中のｇ＿Ｌスカラ７７８ａおよびｇ＿Ｒスカラ７７８ｂなど）無しに示されている。ミキシング・スカラ８８２は、こうした機能の双方とも行うことができるので、ミキシング／角度制御スカラ８８２と呼ばれることが可能である。背景領域１０８での処理については、音はすでに拡散され、前景領域１０６ほど正確な音像を提供する必要がないので、ミキシング／角度制御スカラ８８２は、混合機能も角度制御機能も行うことができる場合がある。
【００６５】
図９Ａは、音源２０２の知覚位置が、前景領域１０６の現在の位置から背景領域１０８の新しい位置へ変更されるとき、図６に示す音源プロセッサ６１６の中の前景減衰スカラ６５４、６５６および背景減衰スカラ６５８、６６０の値が、時間とともにどのように変化する可能性があるかを示している。図９Ｂは、音源２０２の知覚位置が、背景領域１０８の現在の位置から前景領域１０６の新しい位置へ変更されるとき、前景減衰スカラ６５４、６５６および背景減衰スカラ６５８、６６０の値が、時間とともにどのように変化する可能性があるかを示している。
【００６６】
上に示すように、制御ユニット５２２が音源プロセッサ５１６に送信する制御信号５３２は、前景減衰コマンド５４４および背景減衰コマンド５４８を含むことができる。前景減衰コマンド５４４は、図９Ａおよび９Ｂに示す値に従って前景減衰スカラ６５４、６５６の値を設定するためのコマンドを含むことができる。前景減衰コマンド５４４は、前景減衰スカラ６５４、６５６の値を必要に応じて徐々に減少させる（図９Ａ）、または徐々に増加させる（図９Ｂ）ことができる。背景減衰コマンド５４８は、図９Ａおよび９Ｂに示す値に従って背景減衰スカラ６５８、６６０の値を設定するためのコマンドを含むことができる。背景減衰コマンド５４８は、背景減衰スカラ６５８、６６０の値を必要に応じて徐々に増加させる（図９Ａ）、または徐々に減少させる（図９Ｂ）ことができる。
【００６７】
図９Ａおよび９Ｂに示す前景減衰スカラ６５４、６５６および背景減衰スカラ６５８、６６０の値は、例に過ぎない。こうしたスカラ６５４、６５６、６５８、６６０に他の値が使用される場合がある。例えば、前景左スカラ６５４の値と前景右スカラ６５６の値は、交換されることが可能であり、背景左スカラ６５８と背景右スカラ６６０の値が交換されることが可能である。これにより、前景と背景の間に移行が起こり、「反対側」に現れる可能性があり、すなわち、値が上述のように交換された場合、図９Ａおよび９Ｂに示す値で左側へ移行することは、右側へ移行することになる可能性がある。しかしながら、制御ユニット５２２は、１８０度より小さい弧を自動的に選択して実行するように構成されている可能性があるので、全体として音は、正確な鏡像ではない可能性がある。例えば、１２０°から２７０°への移行を考える。このタイプの移行については、図９Ａおよび９Ｂに示す値は、音空間の左側で弧状の移動を行うことになる。この値が上述のように交換された場合、この弧は、代わりに右側に沿ったものになるが、依然として１２０°から始まって、２７０°で終わる。
【００６８】
図１０は、音源２０２の知覚位置が、前景領域１０６内、または背景領域１０８内で変化するとき、図６に示す音源プロセッサ６１６における、前景減衰スカラ６５４、６５６および背景減衰スカラ６５８、６６０に可能な値の例を示す表１０８４である。この表からわかるように、前景減衰スカラ６５４、６５６および背景減衰スカラ６５８、６６０の値は、こうしたタイプの移行の間、変わらない。
【００６９】
表１０８４は、音源２０２の知覚位置が、前景領域１０６の中の現在の位置から、同じく前景領域１０６の中である新しい位置に変更されるとき、前景減衰スカラ６５４、６５６および背景減衰スカラ６５８、６６０の値の例を示す列１０８６を含む。別の列１０８８は、音源２０２の知覚位置が、背景領域１０８の中の現在の位置から、同じく背景領域１０８の中である新しい位置に変更されるとき、前景減衰スカラ６５４、６５６および背景減衰スカラ６５８、６６０の値の例を示す。
【００７０】
図１１は、前景領域１０６（すなわち、２７０°から３６０°および０°から９０°）内の可能な知覚位置に対して、図７に示す前景角度制御コンポーネント７３４の中の前景角度制御スカラ７７８ａ、７７８ｂに可能な値の例を示すグラフ１１９０である。前景角度制御スカラ７７８ａ、７７８ｂは、ｇ＿Ｌスカラ７７８ａおよびｇ＿Ｒスカラ７７８ｂと表記されている。こうした表記は、図７の前景角度制御スカラ７７８ａ、７７８ｂに与えられる表記と対応している。
【００７１】
上に示すように、制御ユニット５２２が音源プロセッサ５１６に送信する制御信号５３２は、前景角度制御コマンド５４２を含むことができる。前景角度制御コマンド５４２は、図１１に示す値に従って前景角度制御スカラ７７８ａ、７７８ｂの値を設定するためのコマンドを含むことができる。知覚位置が、背景領域１０８から前景領域１０６に変わる場合、前景角度制御コマンド５４２は、前景角度制御スカラ７７８ａ、７７８ｂを、前景領域１０６の中の音源２０２の新しい知覚位置に対応する値に即座に設定するように構成されることが可能である。知覚位置が前景領域１０６内で変わる場合、前景角度制御コマンド５４２は、前景角度制御スカラ７７８ａ、７７８ｂの値を現在の知覚位置に対応する値から新しい知覚位置に対応する値へ徐々に移行するように構成されることが可能である。
【００７２】
図１２は、前景領域１０６（すなわち、２７０°から３６０°、および０°から９０°）内の可能な知覚位置に対する図７に示す前景角度制御コンポーネント７３４の中のミキシング・スカラ７７６に可能な値の例を示している。ミキシング・スカラ７７６は、ｇ＿Ｌ２Ｌスカラ７７６ａ、ｇ＿Ｒ２Ｌスカラ７７６ｂ、ｇ＿Ｌ２Ｒスカラ７７６ｃ、およびｇ＿Ｒ２Ｒスカラ７７６ｄと表記されている。こうした表記は、図７の中のミキシング・スカラ７７６に与えられる表記に対応する。
【００７３】
上に示すように、制御ユニット５２２が音源プロセッサ５１６に送信する制御信号５３２は、前景角度制御コマンド５４２を含むことができる。前景角度制御コマンド５４２は、図１２に示す値に従ってミキシング・スカラ７７６の値を設定するためのコマンドを含むことができる。知覚位置が、背景領域１０８から前景領域１０６に変わる場合、前景角度制御コマンド５４２は、ミキシング・スカラ７７６を、前景領域１０６の中の音源２０２の新しい知覚位置に対応する値に即座に設定するように構成されることが可能である。知覚位置が前景領域１０６内で変わる場合、前景角度制御コマンド５４２は、ミキシング・スカラ７７６の値を、現在の知覚位置に対応する値から新しい知覚位置に対応する値へ、徐々に移行させるように構成されることが可能である。
【００７４】
図１３は、背景領域１０８（すなわち、２７０°から９０°）内の可能な知覚位置に対して図８に示す背景角度制御コンポーネント８３８の中のミキシング／角度制御スカラ８８２に可能な値の例を示している。こうしたミキシング／角度制御スカラ８８２は、ｇ＿Ｌ２Ｌスカラ８８２ａ、ｇ＿Ｒ２Ｌスカラ８８２ｂ、ｇ＿Ｌ２Ｒスカラ８８２ｃ、およびｇ＿Ｒ２Ｒスカラ８８２ｄと表記されている。こうした表記は、図８の中のミキシング／角度制御スカラ８８２に与えられる表記に対応する。
【００７５】
上に示すように、制御ユニット５２２が音源プロセッサ５１６に送信する制御信号５３２は、背景角度制御コマンド５４６を含むことができる。背景角度制御コマンド５４６は、図１３に示す値に従ってミキシング／角度制御スカラ８８２の値を設定するためのコマンドを含むことができる。知覚位置が、前景領域１０６から背景領域１０８に変わる場合、背景角度制御コマンド５４６は、ミキシング／角度制御スカラ８８２を、背景領域１０８の中の音源２０２の新しい知覚位置に対応する値に即座に設定するように構成されることが可能である。知覚位置が、背景領域１０８内で変わる場合、背景角度制御コマンド５４６は、ミキシング／角度制御スカラ８８２の値を、現在の知覚位置に対応する値から新しい知覚位置に対応する値へ、徐々に移行させるように構成されることが可能である。
【００７６】
図１４は、音声混合２１２内で音源６０２に異なる知覚位置を提供するための方法１４００を示している。この方法１４００は、図６に示す音源プロセッサ６１６によって行われることが可能である。
【００７７】
この方法１４００に従って、入力音源６０２’が、前景信号６５０と背景信号６５２に分割される１４０２ことが可能である。前景信号６５０は、背景信号６５２とは異なる処理を行われることが可能である。
【００７８】
前景信号６５０の処理について、まず説明する。入力音源６０２’がステレオ音源である場合、前景信号６５０は、前景信号６５０の左チャネル６５０ａと右チャネル６５０ｂの内容のバランスを保つように処理される１４０４ことが可能である。また前景信号６５０は、前景信号６５０に前景知覚角度を提供するように処理される１４０６ことも可能である。また前景信号６５０は、前景信号６５０の所望レベルの減衰を行うように処理される１４０８ことも可能である。
【００７９】
次に、背景信号６５２の処理について説明する。背景信号６５２は、背景信号６５２が前景信号６５０より拡散して処理される１４１０ことが可能である。入力音源６０２’がステレオ音源である場合、背景信号６５２は、背景信号６５２の左チャネル６５２ａと右チャネル６５２ｂの内容のバランスを保つように処理される１４１２ことが可能である。背景信号６５２は、背景信号６５２に背景知覚角度を提供するように処理される１４１４ことも可能である。また背景信号６５２は、背景信号６５２の所望のレベルの減衰を行うように処理される１４１６ことも可能である。
【００８０】
前景信号６５０および背景信号６５２は、その後結合されて１４１８出力音源６０２となることが可能である。出力音源６０２は、その後他の出力音源と結合されて、音声混合２１２を作り出すことができる。
【００８１】
図１４の方法１４００は、入力音源６０２’の別個の前景処理と背景処理が、どのように実施可能であるかを示している。前景信号６５０の左チャネル６５０ａおよび右チャネル６５０ｂの内容のバランスを保つステップ１４０４、前景信号６５０に前景知覚角度を提供するステップ１４０６、および入力音源６０２’の前景処理に対応する前景信号６５０の所望のレベルの減衰を行うステップ１４０８。背景信号６５２を前景信号６５０より拡散して聞こえるように処理するステップ１４１０、背景信号６５２の左チャネル６５２ａおよび右チャネル６５２ｂの内容のバランスを保つステップ１４１２、背景信号６５２に背景知覚角度を提供するステップ１４１４、および入力音源６０２’の背景処理に対応する背景信号の所望のレベルの減衰を行うステップ１４１６。背景信号６５２が処理される方法と比べると、前景信号６５０が処理される方法には少なくとも１つの違いがあるので、前景信号６５０は背景信号６５２とは別個に処理されると言われることが可能である。
【００８２】
図１４の方法１４００は、音源６０２の知覚位置を変更するために前景処理と背景処理が実施されることが可能である１つの方法を示しているが、「別個の前景処理と背景処理」という語句は、図１４に示す特定のステップに限定されると解釈されるべきではない。むしろ、上に示すように、別個の前景処理と背景処理は、入力音源６０２’が、前景信号６５０と背景信号６５２に分割され、前景信号６５０が処理される方法には背景信号６５２が処理される方法と比べて少なくとも１つの違いがあるということを意味する。
【００８３】
上述の図１４の方法１４００は、図１５に示す対応する手段と機能ブロックによって行われることが可能である。言い換えれば、図１４に示すブロック１４０２から１４１８は、図１５に示す手段と機能ブロック１５０２から１５１８に対応する。
【００８４】
図１６は、音源６０２の知覚位置を変更するための方法１６００を示している。この方法１６００は、図６に示す音源プロセッサ６１６によって行われることが可能である。
【００８５】
この方法１６００に従って、制御信号５３２は、制御ユニット５２２から受信される１６０２ことが可能である。こうした制御信号５３２は、音源プロセッサ６１６の様々なパラメータを設定するためのコマンドを含むことができる。
【００８６】
例えば、音源６０２の知覚位置が、前景領域１０６から背景領域１０８に変更されると仮定する。制御信号５３２は、背景角度制御コンポーネント８３８内のミキシング／角度制御スカラ８８２を、音源６０２の新しい知覚位置に対応する値に直ちに設定するためのコマンド５４６を含むことができる。ミキシング／角度制御スカラ８８２は、こうしたコマンド５４６に従って変更される１６０４ことが可能である。
【００８７】
また制御信号５３２は、背景減衰スカラ６５８、６６０の値を、背景信号６５２を完全に減衰する結果となる値から背景信号６５２を減衰しない結果となる値へ徐々に移行させるコマンド５４８を含むことができる。背景減衰スカラ６５８、６６０の値は、こうしたコマンド５４８に従って変更される１６０６ことが可能である。
【００８８】
また制御信号５３２は、前景減衰スカラ６５４、６５６の値を、前景信号６５０を減衰しない結果となる値から前景信号６５０を完全に減衰する結果となる値へ徐々に移行させるコマンド５４４を含むことができる。前景減衰スカラ６５４、６５６の値は、こうしたコマンド５４４に従って変更される１６０８ことが可能である。
【００８９】
反対に、音源６０２の知覚位置が、背景領域１０８から前景領域１０６に変更されると仮定する。制御信号５３２は、前景角度制御コンポーネント７３４内の前景ミキシング・スカラ７７６および角度制御スカラ７７８を、音源６０２の新しい知覚位置に対応する値に直ちに設定するためのコマンド５４２を含むことができる。前景ミキシング・スカラ７７６および前景角度制御スカラ７７８の値は、こうしたコマンド５４２に従って変更される１６１０ことが可能である。
【００９０】
また制御信号５３２は、前景減衰スカラ６５４、６５６の値を、前景信号６５０を減衰しない結果となる値から前景信号６５０を完全に減衰する結果となる値へ徐々に移行させるコマンド５４４を含むことができる。前景減衰スカラ６５４、６５６の値は、こうしたコマンド５４４に従って変更される１６１２ことが可能である。
【００９１】
また制御信号５３２は、背景減衰スカラ６５８、６６０の値を、背景信号６５２を完全に減衰する結果となる値から背景信号６５２を減衰しない結果となる値へ徐々に移行させるコマンド５４８を含むことができる。背景減衰スカラ６５８、６６０の値は、こうしたコマンド５４８に従って変更される１６１４ことが可能である。
【００９２】
音源６０２の知覚位置が、背景領域１０８内で変更される場合、制御信号５３２は、背景角度制御コンポーネント８３８内のミキシング／角度制御スカラ８８２の値を、現在の知覚位置に対応する値から新しい知覚位置に対応する値へ徐々に移行するためのコマンド５４６を含むこともできる。ミキシング／角度制御スカラ８８２の値は、こうしたコマンド５４８に従って変更される１６１６ことが可能である。
【００９３】
音源６０２の知覚位置が、前景領域１０６内で変更される場合、制御信号５３２は、前景角度制御コンポーネント７３４内の前景ミキシング・スカラ７７６および前景角度制御スカラ７７８の値を、現在の知覚位置に対応する値から新しい知覚位置に対応する値へ徐々に移行するためのコマンド５４２を含むこともできる。前景ミキシング・スカラ７７６および前景角度制御スカラ７７８の値は、こうしたコマンド５４２に従って変更される１６１８ことが可能である。
【００９４】
図１６の方法１６００は、いかなる移行についても、実行に１８０°より小さい弧が自動的に選択されるように、実施されることが可能である。例えば、１２０°から２７０°への移行を考える。図１に示す知覚角度の定義（聴取者１０４の正面が０°である）を参照すると、この移行は、反時計方向に、または時計方向に行われることが可能である。しかしながら、この例では、時計方向は１８０°より小さく、時計方向は１８０°より大きくなる。結果として、時計方向に対応する弧が、自動的に選択される。
【００９５】
上述の図１６の方法１６００は、図１７に示す対応する手段と機能ブロック１７００によって行われることが可能である。言い換えれば、図１６に示すブロック１６０２から１６１８は、図１７に示す手段と機能ブロック１７０２から１７１８に対応する。
【００９６】
図１８は、音源プロセッサ１８１６を示している。音源プロセッサ１８１６は、図５に示す音源プロセッサ５１６の別の可能な実装である。音源プロセッサ１８１６は、単一チャネル（モノ）の音声信号を処理するように構成されている。
【００９７】
図１８に示す音源プロセッサ１８１６は、図６に示す音源プロセッサ６１６といくつかの点で同様とすることができる。図６に示す音源プロセッサ６１６の構成要素と同様である、図１８に示す音源プロセッサ１８１６の構成要素は、対応する参照符号で表記されている。
【００９８】
図１８に示す音源プロセッサ１８１６と図６に示す音源プロセッサ６１６の間には、いくつかの違いがある。例えば、音源プロセッサ１８１６は、ただ１つのチャネルを有する入力音源１８０２’を受信するように示されている。一方、図６に示す音源プロセッサ６１６は、２つのチャネル６０２ａ’、６０２ｂ’を有する入力音源６０２’を受信するように示されている。
【００９９】
入力音源１８０２’は、前景信号１８５０と背景信号１８５２に分割されるように示されている。入力音源１８０２’は、１つのチャネルを含んでいるので、前景信号１８５０および背景信号１８５２は共に、最初は１つのチャネルを含んでいる。
【０１００】
前景信号１８５０は、最初にただ１つのチャネルを含んでいるので、前景角度制御コンポーネント１８３４は、ただ１つの入力１８５０を受信するように構成されることが可能である。一方、上述のように、図６の音源プロセッサ６１６の中の前景角度制御コンポーネント６３４は、２つの入力６５０ａ、６５０ｂを受信するように構成されることが可能である。図１８に示す前景角度制御コンポーネント１８３４は、前景信号１８５０の単一チャネルを２つの信号に分割するように構成されることが可能である。
【０１０１】
図１８の音源プロセッサ１８１６の中の前景角度制御コンポーネント１８３４は、前景信号１８５０に前景知覚角度を提供するように構成されることが可能である。しかしながら、前景信号１８５０は、最初は１つのチャネルを含んでいるので、前景角度制御コンポーネント１８３４は、図６の音源プロセッサ６１６の中の前景角度制御コンポーネント６３４の場合がそうであったように、複数のチャネルの内容のバランスを保つように構成されていない可能性がある。
【０１０２】
上記のように、背景信号１８５２もまた、最初にただ１つのチャネルを含んでいる。したがって、図１８の音源プロセッサ１８１６は、図６の音源プロセッサ６１６に示される２つのローパスフィルタ６６２、６６４の代わりに、ただ１つのローパスフィルタ１８６２を備えて示されている。単一のローパスフィルタ１８６２の出力は、２つの信号、すなわち遅延線１８６６に提供される１つの信号と、ＩＩＤ減衰コンポーネント１８６８に提供される別の信号に分割されることが可能である。
【０１０３】
図１８に示す音源プロセッサ１８１６は、音源１８０２の知覚位置を変更するために、別個の前景処理と背景処理がどのように行われることが可能であるかについて別の例を示している。入力音源１８０２’は、２つの信号、すなわち前景信号１８５０と背景信号１８５２に分割されるように示されている。前景信号１８５０と背景信号１８５２は、その後別々に処理されることが可能である。言い換えれば、前景信号１８５０が処理される方法には、背景信号１８５２が処理される方法と比べると違いがある。こうした違いについては上述した。
【０１０４】
図１９は、前景角度制御コンポーネント１９３４を示している。前景角度制御コンポーネント１９３４は、図１８の音源プロセッサ１８１６の中の前景角度制御コンポーネント１８３４の１つの可能な実装である。
【０１０５】
前景角度制御コンポーネント１９３４は、入力として単一チャネルの前景信号１９５０を受信するように示されている。前景角度制御コンポーネント１９３４は、前景信号１９５０に前景知覚角度を提供するように構成されることが可能である。これは、図１９においてｇ＿Ｌスカラ１９７８ａおよびｇ＿Ｒスカラ１９７８ｂと表記する、２つの前景角度制御スカラ１９７８ａ、１９７８ｂの使用によって実現されることが可能である。前景信号１９５０は、２つの信号１９５０ａ、１９５０ｂに分割されることが可能である。一方の信号１９５０ａは、ｇ＿Ｌスカラ１９７８ａによって増大されることが可能であり、もう一方の信号は、ｇ＿Ｒスカラ１９７８ｂによって増大されることが可能である。
【０１０６】
図２０は、本明細書に記載する様々な方法を実施するために使用されることが可能である装置２００１に利用可能である様々な構成要素を示している。図示した構成要素は、同じ物理的構造体内に、または別個のハウジングもしくは構造体の中に、配置されることが可能である。したがって、装置２００１という用語は、別段の表示がなければ、１つまたは複数の広義に定義されたコンピューティング装置を意味するように使用される。コンピューティング装置は、マイクロ・コントローラ、ハンドヘルド・コンピュータ、パーソナル・コンピュータ、サーバ、メインフレーム、スーパーコンピュータ、ミニコンピュータ、ワークステーション、およびそのいかなる変形もしくは関連装置を含む、広範囲のディジタルコンピュータを含んでいる。
【０１０７】
装置２００１は、プロセッサ２００３およびメモリ２００５を備えて示されている。プロセッサ２００３は、装置２００１の動作を制御することができ、マイクロ・プロセッサ、マイクロ・コントローラ、ディジタル信号プロセッサ（ＤＳＰ）、または当技術分野で知られている他の装置として組み入れられることが可能である。プロセッサ２００３は、一般にメモリ２００５内に格納されたプログラムの命令に基づいて、論理演算および算術演算を行う。メモリ２００５の中の命令は、本明細書に記載する方法を実施するように実行可能とすることができる。
【０１０８】
また装置２００１は、他の電子デバイスと通信するための１つまたは複数の通信インターフェース２００７および／またはネットワーク・インターフェース２０１３を含むこともできる。通信インターフェース２００７およびネットワーク・インターフェース２０１３は、有線通信技術、無線通信技術、または両方に基づくものとすることができる。
【０１０９】
また装置２００１は、１つまたは複数の入力装置２００９ならびに１つまたは複数の出力装置２０１１を含むこともできる。入力装置２００９および出力装置２０１１は、ユーザ入力を容易にすることができる。他の構成要素２０１５もまた、装置２００１の一部として提供されることが可能である。
【０１１０】
図２０は、装置２００１の１つの可能な構成を示している。他の様々なアーキテクチャおよび構成要素が利用されることも可能である。
【０１１１】
本明細書で使用する、「決定する」（およびその文法的変形）という用語は、極めて広義で使用される。「決定する」という用語は、多種多様な動作を含み、したがって「決定する」は、計算する、コンピュータを使用する、処理する、導出する、調査する、調べる（例えば表、データベースもしくは別のデータ構造を調べる）、確認するなどを含むことができる。また、「決定する」は、受信する（例えば情報を受信する）、アクセスする（例えばメモリの中のデータにアクセスする）などを含むことができる。また、「決定する」は、解決する、選ぶ、選択する、確立するなどを含むことができる。
【０１１２】
情報および信号は、多種多様な技術および技法のいずれかを使用して、表されることが可能である。例えば、上記の説明全体にわたって参照されることがあるデータ、命令、コマンド、情報、信号などは、電圧、電流、電磁波、磁気フィールドもしくは粒子、光フィールドもしくは粒子、またはその組み合わせによって表されることが可能である。
【０１１３】
本開示と関連して説明する様々な例示的論理ブロック、モジュール、および回路は、汎用プロセッサ、ディジタル信号プロセッサ（ＤＳＰ）、特定用途用集積回路（ＡＳＩＣ）、フィールドプログラマブルゲートアレイ（field programmable gate array、ＦＰＧＡ）もしくは他のプログラマブルロジックデバイス（programmable logic device）、ディスクリートのゲートもしくはトランジスタロジック、ディスクリートのハードウェア部品、またはこれらの、本明細書に記載した機能を行うように設計されたいかなる組み合わせでも、実装または実行されることが可能である。汎用プロセッサは、マイクロプロセッサとすることができるが、代替的にプロセッサは、いかなる市販のプロセッサ、コントローラ、マイクロプロセッサ、または状態機械とすることもできる。プロセッサは、例えばＤＳＰとマイクロプロセッサの組み合わせ、複数のマイクロプロセッサ、ＤＳＰコアと連結した１つもしくは複数のマイクロプロセッサ、またはその他のこのような構成など、コンピューティングデバイスの組み合わせとして実装されることも可能である。
【０１１４】
本開示と関連して記載した方法またはアルゴリズムのステップは、直接にハードウェアで、プロセッサによって実行されるソフトウェアモジュールで、またはこの２つの組み合わせで、実行されることが可能である。ソフトウェア・モジュールは、当技術分野で知られているいかなる形態の記憶媒体にも、備わっている場合がある。使用されることが可能である記憶媒体の例には、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭなどが含まれる。ソフトウェアモジュールは、単一の命令、または多数の命令を含むことができ、いくつかの異なるコードセグメント全体に、異なるプログラム間に、また複数の記憶媒体にわたって分配されることが可能である。記憶媒体がプロセッサに結合されて、プロセッサがこの記憶媒体から情報を読み取ること、およびこの記憶媒体に情報を書き込むことができるようにすることが可能である。代替的には記憶媒体は、プロセッサと一体化されている場合がある。
【０１１５】
本明細書に開示する方法は、記載の方法を実現するための１つもしくは複数のステップまたは動作を含む。方法のステップおよび／または動作は、特許請求の範囲に記載の範囲から逸脱することなく互いと置き換えられることが可能である。言い換えれば、ステップまたは動作の特定の順序が指定されない場合、特定のステップおよび／または動作の順序および／または使用は、特許請求の範囲に記載の範囲から逸脱することなく変更されることが可能である。
【０１１６】
記載した機能は、ハードウェア、ソフトウェア、ファームウェア、またはこれらのいかなる組み合わせにも実装されることが可能である。ソフトウェアに実装される場合、機能は、コンピュータ可読媒体上の１つもしくは複数の命令またはコードとして格納される、または伝送されることが可能である。コンピュータ可読媒体は、コンピュータ記憶媒体と通信媒体とを共に含み、コンピュータプログラムを一方の場所からもう一方の場所へ転送することを容易にするいかなる媒体をも含む。記憶媒体は、コンピュータによってアクセス可能であるいかなる利用可能な媒体とすることもできる。一例としてであって、限定ではないが、このようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶装置、または所望のプログラムコード手段を命令もしくはデータ構造の形態で搬送するもしくは格納するために使用することができ、コンピュータでアクセスすることができる他のいかなる媒体も備えることができる。また、いかなる接続も、厳密にはコンピュータ可読媒体と呼ばれる。例えば、ソフトウェアが、同軸ケーブル、光ファイバケーブル、ツイストペア、ディジタル加入者線（ＤＳＬ）、または赤外線、ラジオ波、およびマイクロ波などの無線技術を使用して、ウェブサイト、サーバ、または他のリモートソースから送信される場合、この同軸ケーブル、光ファイバケーブル、ツイストペア、ＤＳＬ、または赤外線、ラジオ波、およびマイクロ波などの無線技術が、媒体の定義に含まれる。本明細書で使用するディスク（diskおよびdisc）は、コンパクトディスク（compact disc、ＣＤ）、レーザー（登録商標）ディスク（laser disc）、光ディスク（optical disc）、ディジタルバーサタイルディスク（digital versatile disc、ＤＶＤ（登録商標））、フロッピー（登録商標）ディスク（floppy（登録商標） disk）、およびブルーレイ(登録商標）ディスク（blu-ray disc）を含み、ディスク（disk）は通常データを磁気的に再生し、ディスク（disc）はレーザーを使用してデータを光学的に再生する。上記のものの組み合わせもまた、コンピュータ可読媒体の範囲内に含まれるものとする。
【０１１７】
特許請求の範囲は、上記の厳密な構成および構成要素に限定されないことを理解されたい。上記の方法および装置の配置、操作、および詳細において、様々な修正、変更、および変形物が作成されることが可能である。
【図１】
2011505105.tif 000003
【図２】
2011505105.tif 000004
【図２Ａ】
2011505105.tif 000005
【図３】
2011505105.tif 000006
【図４】
2011505105.tif 000007
【図５】
2011505105.tif 000008
【図６】
2011505105.tif 000009
【図７】
2011505105.tif 000010
【図８】
2011505105.tif 000011
【図９Ａ】
2011505105.tif 000012
【図９Ｂ】
2011505105.tif 000013
【図１０】
2011505105.tif 000014
【図１１】
2011505105.tif 000015
【図１２】
2011505105.tif 000016
【図１３】
2011505105.tif 000017
【図１４】
2011505105.tif 000018
【図１５】
2011505105.tif 000019
【図１６】
2011505105.tif 000020
【図１７】
2011505105.tif 000021
【図１８】
2011505105.tif 000022
【図１９】
2011505105.tif 000023
【図２０】
2011505105.tif 000024
【手続補正書】
【提出日】平成22年7月28日(2010.7.28)
【手続補正１】
【補正対象書類名】特許請求の範囲
【補正対象項目名】全文
【補正方法】変更
【補正の内容】
【特許請求の範囲】
【請求項１】
インテリジェント音声ミキシング技術を利用する処理エンジンへのインターフェースを提供するための方法であって、
聴取者に対する前景知覚位置から前記聴取者に対する背景知覚位置へ、少なくとも２つの音源を備える音声混合内の音源の知覚位置を変更するための要求を、イベントによってトリガすることと、
前記処理エンジンに前記音源の前記知覚位置を前記前景知覚位置から前記背景知覚位置へ、別個の前景処理と背景処理によって処理される前景信号および背景信号を使用して変更させるように構成された１つまたは複数の制御信号を生成することと、
前記１つまたは複数の制御信号を前記処理エンジンに提供することと
を備える方法。
【請求項２】
別個の前景処理と背景処理によって処理される前記前景信号および前記背景信号を使用することが、
入力音源を前記前景信号と前記背景信号に分割することと、
前記前景信号を前記背景信号とは異なるように処理することと
を備える、請求項１に記載の方法。
【請求項３】
前記背景処理が、前記背景信号を前記前景信号より拡散して聞こえるように処理することを備える、請求項２に記載の方法。
【請求項４】
前記１つまたは複数の制御信号が、前記処理エンジンに前記音源の前記知覚位置を、前記前景知覚位置から前記背景知覚位置へ徐々に変更させる、請求項１に記載の方法。
【請求項５】
前記処理エンジンのパラメータに新しい値を決定することをさらに備え、前記新しい値が前記背景知覚位置に対応し、前記１つまたは複数の制御信号が前記パラメータを前記新しい値に設定するためのコマンドを備える、請求項１に記載の方法。
【請求項６】
前記前景知覚位置から前記背景知覚位置へ変更することが、前記聴取者に対する前景領域内の移行を備え、さらに前記処理エンジンの前景角度制御コンポーネントのパラメータに新しい値を決定することを備える、請求項１に記載の方法。
【請求項７】
前記前景知覚位置から前記背景知覚位置へ変更することが、前記聴取者に対する背景領域内の移行を備え、さらに前記処理エンジンの背景角度制御コンポーネントのパラメータに新しい値を決定することを備える、請求項１に記載の方法。
【請求項８】
前記前景知覚位置から前記背景知覚位置へ変更することが、前記聴取者に対する背景領域から前記聴取者に対する前景領域への移行を備え、さらに前記処理エンジンの前景角度制御コンポーネント、前記処理エンジンの前景減衰コンポーネント、および前記処理エンジンの背景減衰コンポーネントのパラメータに新しい値を決定することを備える、請求項１に記載の方法。
【請求項９】
前記前景知覚位置から前記背景知覚位置へ変更することが、前記聴取者に対する前景領域から前記聴取者に対する背景領域への移行を備え、さらに前記処理エンジンの背景角度制御コンポーネント、前記処理エンジンの背景減衰コンポーネント、および前記処理エンジンの前景減衰コンポーネントのパラメータに新しい値を決定することを備える、請求項１に記載の方法。
【請求項１０】
インテリジェント音声ミキシング技術を利用する処理エンジンへのインターフェースを提供するための装置であって、
プロセッサと、
前記プロセッサと電子通信するメモリと、
前記メモリに格納された命令であって、
聴取者に対する前景知覚位置から前記聴取者に対する背景知覚位置へ、少なくとも２つの音源を備える音声混合内の音源の知覚位置を変更するための要求を、イベントによってトリガする、
前記処理エンジンに前記音源の前記知覚位置を前記前景知覚位置から前記背景知覚位置へ、別個の前景処理と背景処理によって処理される前景信号および背景信号を使用して変更させるように構成された１つまたは複数の制御信号を生成する、
前記１つまたは複数の制御信号を前記処理エンジンに提供する
ように実行可能である命令と
を備える装置。
【請求項１１】
別個の前景処理と背景処理によって処理される前記前景信号および背景信号を使用することが、
入力音源を前記前景信号と前記背景信号に分割することと、
前記前景信号を前記背景信号とは異なるように処理することと
を備える、請求項１０に記載の装置。
【請求項１２】
前記背景処理が、前記背景信号を前記前景信号より拡散して聞こえるように処理することを備える、請求項１１に記載の装置。
【請求項１３】
前記１つまたは複数の制御信号が、前記処理エンジンに前記音源の前記知覚位置を、前記前景知覚位置から前記背景知覚位置へ徐々に変更させる、請求項１０に記載の装置。
【請求項１４】
前記命令が、前記処理エンジンのパラメータに新しい値を決定するようにも実行可能であり、前記新しい値が前記背景知覚位置に対応し、前記１つまたは複数の制御信号が前記パラメータを前記新しい値に設定するためのコマンドを備える、請求項１０に記載の装置。
【請求項１５】
前記前景知覚位置から前記背景知覚位置へ変更することが、前記聴取者に対する前景領域内の移行を備え、前記命令が、前記処理エンジンの前景角度制御コンポーネントのパラメータに新しい値を決定するように実行可能でもある、請求項１０に記載の装置。
【請求項１６】
前記前景知覚位置から前記背景知覚位置へ変更することが、前記聴取者に対する背景領域内の移行を備え、前記命令が、前記処理エンジンの背景角度制御コンポーネントのパラメータに新しい値を決定するように実行可能でもある、請求項１０に記載の装置。
【請求項１７】
前記前景知覚位置から前記背景知覚位置へ変更することが、前記聴取者に対する背景領域から前記聴取者に対する前景領域への移行を備え、前記命令が、前記処理エンジンの前景角度制御コンポーネント、前記処理エンジンの前景減衰コンポーネント、および前記処理エンジンの背景減衰コンポーネントのパラメータに新しい値を決定するように実行可能でもある、請求項１０に記載の装置。
【請求項１８】
前記前景知覚位置から前記背景知覚位置へ変更することが、前記聴取者に対する前景領域から前記聴取者に対する背景領域への移行を備え、前記命令が、前記処理エンジンの背景角度制御コンポーネント、前記処理エンジンの背景減衰コンポーネント、および前記処理エンジンの前景減衰コンポーネントのパラメータに新しい値を決定するように実行可能でもある、請求項１０に記載の装置。
【請求項１９】
移動体装置上で音声ミキシング技術を利用する処理エンジンへのインターフェースを提供する命令を備えるコンピュータ可読媒体であって、プロセッサによって実行されると前記プロセッサに、
聴取者に対する前景知覚位置から前記聴取者に対する背景知覚位置へ、少なくとも２つの音源を備える音声混合内の音源の知覚位置を変更するための要求を、イベントによってトリガさせる、
前記処理エンジンに前記音源の前記知覚位置を前記前景知覚位置から前記背景知覚位置へ、別個の前景処理と背景処理によって処理される前景信号および背景信号を使用して変更させるように構成された１つまたは複数の制御信号を生成させる、
前記１つまたは複数の制御信号を前記処理エンジンに提供させる
コンピュータ可読媒体。
【請求項２０】
別個の前景処理と背景処理によって処理される前記前景信号および前記背景信号を使用することが、
入力音源を前記前景信号と前記背景信号に分割することと、
前記前景信号を前記背景信号とは異なるように処理することと
を備える、請求項１９に記載のコンピュータ可読媒体。
【請求項２１】
前記背景処理が、前記背景信号を前記前景信号より拡散して聞こえるように処理することを備える、請求項２０に記載のコンピュータ可読媒体。
【請求項２２】
前記１つまたは複数の制御信号が、前記処理エンジンに前記音源の前記知覚位置を、前記前景知覚位置から前記背景知覚位置へ徐々に変更させる、請求項１９に記載のコンピュータ可読媒体。
【請求項２３】
前記命令が、前記プロセッサに前記処理エンジンのパラメータに新しい値を決定させ、前記新しい値が前記背景知覚位置に対応し、前記１つまたは複数の制御信号が前記パラメータを前記新しい値に設定するためのコマンドを備える、請求項１９に記載のコンピュータ可読媒体。
【請求項２４】
前記前景知覚位置から前記背景知覚位置へ変更することが、前記聴取者に対する前景領域内の移行を備え、前記命令がまた前記プロセッサに、前記処理エンジンの前景角度制御コンポーネントのパラメータに新しい値を決定させる、請求項１９に記載のコンピュータ可読媒体。
【請求項２５】
前記前景知覚位置から前記背景知覚位置へ変更することが、前記聴取者に対する背景領域内の移行を備え、前記命令がまた前記プロセッサに、前記処理エンジンの背景角度制御コンポーネントのパラメータに新しい値を決定させる、請求項１９に記載のコンピュータ可読媒体。
【請求項２６】
前記前景知覚位置から前記背景知覚位置へ変更することが、前記聴取者に対する背景領域から前記聴取者に対する前景領域への移行を備え、前記命令がまた前記プロセッサに、前記処理エンジンの前景角度制御コンポーネント、前記処理エンジンの前景減衰コンポーネント、および前記処理エンジンの背景減衰コンポーネントのパラメータに新しい値を決定させる、請求項１９に記載のコンピュータ可読媒体。
【請求項２７】
前記前景知覚位置から前記背景知覚位置へ変更することが、前記聴取者に対する前景領域から前記聴取者に対する背景領域への移行を備え、前記命令がまた前記プロセッサに、前記処理エンジンの背景角度制御コンポーネント、前記処理エンジンの背景減衰コンポーネント、および前記処理エンジンの前景減衰コンポーネントのパラメータに新しい値を決定させる、請求項１９に記載のコンピュータ可読媒体。
【請求項２８】
インテリジェント音声ミキシング技術を利用する処理エンジンへのインターフェースを提供するための装置であって、
聴取者に対する前景知覚位置から前記聴取者に対する背景知覚位置へ、少なくとも２つの音源を備える音声混合内の音源の知覚位置を変更するための要求を、イベントによってトリガするための手段と、
前記処理エンジンに前記音源の前記知覚位置を前記前景知覚位置から前記背景知覚位置へ、別個の前景処理と背景処理によって処理される前景信号および背景信号を使用して変更させるように構成された１つまたは複数の制御信号を生成するための手段と、
前記１つまたは複数の制御信号を前記処理エンジンに提供するための手段と
を備える装置。
【請求項２９】
別個の前景処理と背景処理によって処理される前記前景信号および前記背景信号を使用することが、
入力音源を前記前景信号と前記背景信号に分割することと、
前記前景信号を前記背景信号とは異なるように処理することと
を備える、請求項２８に記載の装置。
【請求項３０】
前記背景処理が、前記背景信号を前記前景信号より拡散して聞こえるように処理することを備える、請求項２９に記載の装置。
【請求項３１】
前記１つまたは複数の制御信号が、前記処理エンジンに前記音源の前記知覚位置を、前記前景知覚位置から前記背景知覚位置へ徐々に変更させる、請求項２８に記載の装置。
【請求項３２】
前記処理エンジンのパラメータに新しい値を決定することをさらに備え、前記新しい値が前記背景知覚位置に対応し、前記１つまたは複数の制御信号が前記パラメータを前記新しい値に設定するためのコマンドを備える、請求項２８に記載の装置。
【請求項３３】
前記前景知覚位置から前記背景知覚位置へ変更することが、前記聴取者に対する前景領域内の移行を備え、さらに前記処理エンジンの前景角度制御コンポーネントのパラメータに新しい値を決定するための手段を備える、請求項２８に記載の装置。
【請求項３４】
前記前景知覚位置から前記背景知覚位置へ変更することが、前記聴取者に対する背景領域内の移行を備え、さらに前記処理エンジンの背景角度制御コンポーネントのパラメータに新しい値を決定するための手段を備える、請求項２８に記載の装置。
【請求項３５】
前記前景知覚位置から前記背景知覚位置へ変更することが、前記聴取者に対する背景領域から前記聴取者に対する前景領域への移行を備え、さらに前記処理エンジンの前景角度制御コンポーネント、前記処理エンジンの前景減衰コンポーネント、および前記処理エンジンの背景減衰コンポーネントのパラメータに新しい値を決定するための手段を備える、請求項２８に記載の装置。
【請求項３６】
前記前景知覚位置から前記背景知覚位置へ変更することが、前記聴取者に対する前景領域から前記聴取者に対する背景領域への移行を備え、さらに前記処理エンジンの背景角度制御コンポーネント、前記処理エンジンの背景減衰コンポーネント、および前記処理エンジンの前景減衰コンポーネントのパラメータに新しい値を決定するための手段を備える、請求項２８に記載の装置。
【国際調査報告】
2011505105.tif 000025
2011505105.tif 000026
2011505105.tif 000027